(57)【要約】      （修正有）【課題】長襦袢、掛下、打掛をこの順番に着る和装、主に婚礼衣装において、伝統的な構成のものでありこの構成で和装をすると、重いこと、季節によっては蒸し暑くなり着ている人に不快感をもたらし、さらに着付けに時間がかかることを解決する和装を提供する。【解決手段】長襦袢１、掛下、打掛で構成される和装において、掛下の衿部５、前身ごろの一部２、３、４を切り取り、長襦袢に貼り付けることにより、掛下の衿部５、前身ごろの一部２、３、４が貼りつけられた長襦袢１と打掛の２枚で構成されるようにした。長襦袢１の丈が、着装した時に長襦袢１のすそが床に達しない長さである。【選択図】図１
0003219831.tif 000002
【実用新案登録請求の範囲】
【請求項１】
長襦袢、掛下、打掛をこの順番に着る和装において、掛下の衿部、前身ごろの一部を既存の掛下から切り取り、長襦袢に張り付けることにより、掛下の衿部、前身ごろの一部がついた長襦袢と打掛の２枚で着用できることを特徴とする和装。
【請求項２】
請求項１の長襦袢と打掛の和装において、長襦袢の丈が、着装した時に長襦袢のすそが床に達しない長さであることを特徴とする和装。
【請求項３】
請求項１の長襦袢に衿部、前身ごろの一部を付けるにおいて、縫い付け、あるいは面ファスナー、あるいは接着材を使った貼り付け方法を特徴とする長襦袢を使った和装
【請求項４】
請求項１において、掛下の衿部、前身ごろの一部を新たな着物用布地で作成し、長襦袢に張り付けることにより、掛下の衿部、前身ごろの一部がついた長襦袢と打掛の２枚で着用できることを特徴とする和装。
【考案の詳細な説明】
【技術分野】
【０００１】  本考案は和装に用いる長襦袢とその用い方に関している。【０００２】  本考案は、和装に係り、特に婚礼衣装用の和装に関して、長襦袢、掛下、打掛をこの順番に着る和装で、掛下の衿部、前身ごろあるいはその一部を切り取り、長襦袢に張り付けることにより、掛下の衿部、前身ごろあるいはその一部がついた長襦袢を用いることを特徴とする。
【背景技術】
【０００３】  従来の長襦袢に掛下の衿部、前身ごろのついたものはなく、掛下の衿部、前身ごろがついた長襦袢と打掛の２枚になる和装はなかった。【０００４】  打掛とは日本の和装の一種であり、一般には着物の上に羽織り、着物の丈より長くなるように仕立てられている。通常婚礼時に使用される和装であり、必ず着物の上に着ることが伝統であった。【０００５】また、打掛の下に着る着物は婚礼衣装の場合、着物の一部を打掛の間から見せるため、着物の丈は長く、着物の裾が床に広がる長さとなっている。【０００６】衿部については特許文献１がある。【０００７】和装用襦袢の衿をバイヤス織地で形成したものである。
体型に沿って伸び、衿布が引きつったりしわを生ずることなく美麗に装う事ができる。本考案にもこの技術を使うことができる。
【先行技術文献】
【特許文献】
【０００８】
【特許文献１】実用新案番号３００３０６０
【考案の概要】
【考案が解決しようとする課題】
【０００９】  長襦袢、掛下、打掛をこの順番に着る和装、主に婚礼衣装は、伝統的な構成のものでありこの構成で和装をすると、重いこと、季節によっては蒸し暑くなり着ている人に不快感をもたらし、さらに着付けに時間がかかるものであった。【００１０】  また、従来の技術で述べたように、掛下の丈の長さは一般の着物よりも長く、掛下を１着作るのに相当量の布地を使うことになり、自然保護上の課題があった。【００１１】
【課題を解決するための手段】
【００１２】  長襦袢、掛下、打掛をこの順番に着る和装において、掛下を省き掛下の布地で、従来の衿部を作成しそれを長襦袢の衿部に貼り付け、かつまた掛下の布地を長襦袢に貼り付けることを手段としている。
【考案の効果】
【００１３】上述のように長襦袢、掛下、打掛の組み合わせの和装から、長襦袢と打掛の組み合わせの和装となり、本考案の和装は軽量化でき、２枚の着物の着装でよいことから、季節によっては蒸し暑くなり着ている人に不快感が軽減できた。【００１４】  本考案の詳細は図１、２を用いて説明する。【００１５】  図１は本考案で用いる長襦袢をハンガーにかけた状態を示し、１は従来の長襦袢であり、２、３、４が掛下用の着物を切断した布を長襦袢に貼り合わせたものであり、５は掛下の衿部を長襦袢の衿に貼り合わせたものである。【００１６】２、３、４は掛下用の布地をそれぞれ上辺で長襦袢に留め、５の衿部は衿部の下辺全部を長襦袢の衿部に貼りつけてある。【００１７】長襦袢への掛下用布地を上辺で貼りつける方法は一例であり、これに限定するものではない。【００１８】  図２は本考案の掛下用布地の一部を長襦袢に貼り付けた長襦袢を着用した姿を示す。図から分かるように２、３、４の掛下用布地は体の前面にあり、４は長襦袢を着用した時には床にまで達しない長さであり、衿部５は身体の前面から首周りを覆っている。【００１９】掛下用布地、衿部の貼り合わせ方法は糸などで縫い付ける方法、面ファスナーを用いて貼り合わせる方法、接着剤を用いて貼り合わせる方法、それらの組み合わせの方法がある。【００２０】  図３は図２の長襦袢の上に打掛を着用したものである。打掛以外外から見える部分は全て本考案で貼り付けた掛下用布地と衿部のみであり、従来のものと相違なく使用できる。【００２１】  図４に比較例として従来の長襦袢、掛下、打掛を着用した姿を示す。【００２２】  ６は打掛、７は掛下、８は掛下が打掛の間から見えるこの裾は写真撮影の際のみ使用姿であり、近年はスナップ写真が中心のためこの姿をすることは少なくなっており、実際はたくし上げて、歩行する場合は挙式、披露宴でも着付け師が腰部で上に掛下をたくし上げ、ひもで留め短くしている。その状態は図３と同じである。【００２３】  また、図３、図４から分かるように、２、３、４の掛下用布地の長さ幅は打掛の下から長襦袢が見えなければよく、特に限定しない。【００２４】  また、掛下用の布地の使用面積は従来と比較して５分の１〜３分の１になり、資源保護の観点でも優れている。【００２５】  更に着脱が容易となり、また着用者の負担を軽減している。構造は簡単で、製造も容易であることから実用性の高いものであるといえる。【００２６】  従来の掛下の着付けは専門的な技能を必要とするため婚礼専門の着付師しか行えなかったが、本考案の掛下は、一般の着物（ゆかたなど）レベルの技能があれば充分対応できる。
【図面の簡単な説明】
【図１】  図１に本考案の長襦袢をハンガーにかけた状態を示す。  １  長襦袢  ２  掛下用布地を張り合わせたもの（左胸）  ３  掛下用布地を張り合わせたもの（右胸）  ４  掛下用布地を張り合わせたもの（左下裾）  ５  掛下用布地で作った衿
【図２】  図２に本考案の長襦袢を着装した姿を示す
【図３】  図３は図２の長襦袢の上に打掛を着用したものである。図３には本考案の掛下の一部を長襦袢に貼り付けた長襦袢・打掛の姿を示す。６が打掛７は長襦袢に掛下の布を貼り付けた部分が見えるのみであり、従来のものと相違なく使用できるだけでなく、長襦袢が短くしてあるため、全体の和装の重量が軽くなっている。
【図４】  比較例として従来の長襦袢、掛下、打掛を着用した姿を図示する。９は掛下、１０は掛下が打掛の間から見えるこの衿は写真撮影の際のみ使用姿であり、近年はスナップ写真が中心のためこの姿をすることは少なくなっている。実際はたくし上げて、歩行する場合は挙式、披露宴でも着付け師が腰部で上に掛下をたくし上げ、ひもで留め短くしている。その状態は図３と同じである。
【考案を実施するための形態】
【００２７】  本考案の長襦袢の上に白無垢や打掛を着用し、掛下の衿や比翼、及び下半前左部を見せる事で、外見は従来のまま保つことが出来る。
【実施例１】
【００２８】  図１において２、３、４の布の幅と長さは打掛の下から長襦袢が見えなければ、特に限定しないが、
２、３  幅３０ｃｍ、長さ５０ｃｍ
４  幅５０ｃｍ、長さ７０ｃｍとした。【００２９】  各布は既存の掛下から切り取り、留め方としては糸を用いて上面を長襦袢に縫い付け、衿は掛下の衿を長襦袢の衿に背中心から肩山まで縫い付けた。【００３０】  本実施例の長襦袢、打掛を着用すると図３のようになり、伝統的な長襦袢、掛下、打掛の姿と差異はなかく掛下の着物が省略されていることから、着用者にとって軽量化が図られ、季節によっては蒸し暑くなく快適であり、着用も簡便であった。【００３１】この実施例で示したように、製造は簡単で、布地の使用量は既存の掛下の約４分の１に抑えることができた。【００３２】本実施例では既存の掛下を切断して用いたが、掛下用の布地から新たに切り出した布片を長襦袢に縫い付けて、かつ衿部の作成方法は種々あるが、実用新案番号３００３０６０による衿を作成して貼り付けてもよい。
【実施例２】
【００３３】  図１において掛下用の着物反物から
２  幅２５ｃｍ、長さ４０ｃｍ
３  幅２５ｃｍ、長さ４５ｃｍ
４  幅４０ｃｍ、長さ６０ｃｍ切り取った。【００３４】  各布の留め方は、長襦袢の所定の位置に面テープを張り、各布にも同様の面テープを貼り、これらを張り合わせることで留め、衿は実用新案番号３００３０６０の方法を用いて製造し、長襦袢の衿に背中心から肩山まで縫い付けた。【００３５】本実施例の長襦袢、打掛を着用すると図３のようになり、伝統的な長襦袢、掛下、打掛の姿と差異はなく、掛下の着物が省略されていることから、着用者にとって軽量化が図られ、季節によっては蒸し暑くなく快適であった。着用も簡便であった。【００３６】この実施例で示したように、製造は簡単で、布地の使用量は約５分の１に抑えることができた。
【実施例３】
【００３７】図１において、
２、３  幅３０ｃｍ、長さ５０ｃｍ
４  幅５０ｃｍ、長さ７０ｃｍとした。【００３８】  各布の留め方は、水溶性の接着剤を用いて上面を長襦袢に貼り付け、衿は掛下の衿を長襦袢の衿に背中心から肩山まで縫い付けた。【００３９】本実施例の長襦袢、打掛を着用すると図３のようになり、伝統的な長襦袢、掛下、打掛の姿と差異はなく、掛下の着物が省略されていることから、着用者にとって軽量化が図られ、季節によっては蒸し暑くなく快適であった。着用も簡便であった。【００４０】この実施例で示したように、製造は簡単で、布地の使用量は約５分の１に抑えることができた。
【産業上の利用可能性】
【００４１】  伝統的な和装だけでなく、より簡便な和装を用いたより安価で簡便な結婚式も要求されている。日本古来の和装を着装しての婚礼における新婦の衣裳に対する負担を軽減する要求も多くなってきている。また、和装の着付け代が高額な事も和装を着装しての婚礼離れの一因となっているため、本考案掛下により、婚礼における和装の利用者が増える事が期待できる。
【符号の説明】
【００４２】  １  長襦袢本体
２  掛下用布地を張り合わせたもの（左胸）
３  掛下用布地を張り合わせたもの（右胸）
４  掛下用布地を張り合わせたもの（左下裾）
５  掛下用布地で作った衿
６  打掛
７  打掛身頃
８  打掛すそ
９  掛下身頃
１０  掛下すそ
【図１】
0003219831.tif 000003
【図２】
0003219831.tif 000004
【図３】
0003219831.tif 000005
【図４】
0003219831.tif 000006
【手続補正書】
【提出日】平成30年11月5日(2018.11.5)
【手続補正１】
【補正対象書類名】実用新案登録請求の範囲
【補正対象項目名】全文
【補正方法】変更
【補正の内容】
【実用新案登録請求の範囲】
【請求項１】
和装において、長襦袢、掛下、打掛で構成される和装であって、前記掛下の衿部、前身ごろの一部を切り取り、前記長襦袢に貼り付けることにより、前記掛下の衿部、前身ごろの一部が貼りつけられた前記長襦袢と前記打掛の２枚で構成されるようにしたことを特徴とする和装。
【請求項２】
請求項１に記載の和装において、前記長襦袢の丈が、着装した時に前記長襦袢のすそが床に達しない長さであることを特徴とする和装。
【請求項３】
請求項１に記載の和装において、縫い付け、あるいは面ファスナー、あるいは接着材のいずれかの手段により前記長襦袢に前記衿部、前身ごろの一部を貼り付けたことを特徴とする和装
【請求項４】
請求項１に記載した和装において、前記掛下の衿部、前身ごろの一部を新たな着物用布地で作成し、前記長襦袢に貼り付けることにより、前記掛下の衿部、前身ごろの一部が貼り付けられた前記長つ襦袢と前記打掛の２枚で構成されるようにしたことを特徴とする和装。